(57)【要約】【課題】洗浄を行いつつ、簡易に管状体のバリを除去することの可能な洗浄用具を提供する。【解決手段】洗浄管本体１２には、ノズル部１４から離間した位置に、凸条部１２Ｂが形成されている。コイルスプリング２０は、洗浄管本体１２の外周のノズル部１４から凸条部１２Ｂの間、外周取付部１２Ｃに外挿されて取り付けられている。コイルスプリング２０は、外周取付部１２Ｃよりも軸方向Ｓの外側への移動が規制されている。【選択図】図３
2012040491.tif 000002
【特許請求の範囲】
【請求項１】
管状とされた洗浄管本体と、
前記洗浄管本体の先端に設けられ、洗浄水を噴射可能なノズル部と、
前記洗浄管本体の外周に取り付けられ、軸方向の中間部が両端部よりも大径とされ、軸方向に間隔をあけて巻き回された通水部の構成されたコイルスプリングと、
を備えた洗浄用具。
【請求項２】
前記コイルスプリングは、軸方向中央部で端部よりも巻き密度が高いこと、を特徴とする請求項１に記載の洗浄用具。
【請求項３】
前記洗浄管本体には、前記コイルスプリングの前記両端部の各々よりも軸方向外側に外面から突出した一対の突部が設けられ、前記コイルスプリングは前記一対の突部により軸方向外側への移動が阻止されていること、を特徴とする請求項１または請求項２に記載の洗浄用具。
【発明の詳細な説明】
【技術分野】
【０００１】
本発明は、ホース内を洗浄すると共に、ホースの内管バリを除去する洗浄用具に関する。
【背景技術】
【０００２】
従来から、ホース等の管状体の内部の洗浄を行う洗浄用具として、種々のものが提案されている。例えば、特許文献１には、ノズルから液体を噴射しつつブラシによって内面を擦って洗浄を行う洗浄用具が提案されている。
【０００３】
ところで、ホース等の管状体は、端部や内部の接続部分にバリが生じている場合がある。このバリを洗浄時に除去できれば、洗浄がしやすくなると共に、洗浄用具の損傷も防止できる。特許文献１に記載の洗浄具では、高圧水を放射状に噴出しつつ回転することにより、バリ取りを行っている。しかしながら、高圧水のみでバリの除去を行うのは容易ではなく、特殊な高圧水噴射装置が必要となる。また、特許文献２には、管内のバリを寝かせる器具が開示されているが、洗浄を目的としたものではないため、当該器具のみでは洗浄を行うことができない。
【先行技術文献】
【特許文献】
【０００４】
【特許文献１】特開平８−９０３５１号公報
【特許文献２】実開昭６１−８９４６２号公報
【発明の概要】
【発明が解決しようとする課題】
【０００５】
本発明は、上記事実を考慮し、洗浄を行いつつ、簡易に管状体のバリを除去することの可能な洗浄用具を提供することを目的とする。
【課題を解決するための手段】
【０００６】
本発明の請求項１に係る洗浄用具は、管状とされた洗浄管本体と、前記洗浄管本体の先端に設けられ、洗浄水を噴射可能なノズル部と、前記洗浄管本体の外周に取り付けられ、軸方向の中間部が両端部よりも大径とされ、軸方向に間隔をあけて巻き回された通水部の構成されたコイルスプリングと、を備えている。
【０００７】
請求項１に係る洗浄用具では、洗浄管本体の先端に設けられたノズル部から洗浄水が噴射されて洗浄が行われる。また、洗浄管本体の外周に取り付けられたコイルスプリングによりバリ取りが行われる。バリ取りは、洗浄管本体が管状体内で挿入方向、または、抜き出し方向に移動している時に、コイルスプリングの大径とされた軸方向の中間部が管状体内でバリに当たり、弾性変形しつつバリに軸方向の力を作用させて除去する。このとき、ノズル部から管状体内に噴射されている洗浄水は、軸方向に間隔をあけて巻き回された通水部から、管状体内の軸方向へ流出させることができる。
【０００８】
このように、請求項１に係る洗浄用具によれば、管状体内の洗浄を行いつつ、簡易にバリ取りを行うことができる。
【０００９】
本発明の請求項２に係る洗浄用具は、前記コイルスプリングが、軸方向中央部で端部よりも巻き密度が高いこと、を特徴とする。
【００１０】
バリに当たる部分であるコイルスプリングの軸方向中央部の巻き密度を高くすることにより、当該部分の強度を高くして、バリの除去をより確実にすることができる。
【００１１】
本発明の請求項３に係る洗浄用具は、前記洗浄管本体には、前記コイルスプリングの前記両端部の各々よりも軸方向外側に外面から突出した一対の突部が設けられ、前記コイルスプリングは前記一対の突部により軸方向外側への移動が阻止されていること、を特徴とする。
【００１２】
上記構成によれば、コイルスプリングを簡単に洗浄管本体の外周に取り付けることができる。
【発明の効果】
【００１３】
本発明は、上記構成としたので、洗浄を行いつつ、簡易に管状体のバリを除去することができる。
【図面の簡単な説明】
【００１４】
【図１】本実施形態に係る洗浄用具を示す斜視図である。
【図２】本実施形態に係る洗浄用具に用いられるコイルスプリングの斜視図である。
【図３】本実施形態に係る洗浄用具に用いられるコイルスプリングの変形例の一部断面図である。
【図４】本実施形態に係る洗浄用具の使用状態（挿入時）を示す説明図である。
【図５】本実施形態に係る洗浄用具の使用状態（引き抜き時）を示す説明図である。
【図６】本実施形態に係る洗浄用具の変形例を示す斜視図である。
【発明を実施するための形態】
【００１５】
以下に、本発明に係る実施形態の洗浄用具について、図面に基づき説明する。
【００１６】
本実施形態の洗浄用具１０は、図１に示されるように、洗浄管本体１２、ノズル部１４、及び、コイルスプリング２０を備えている。洗浄管本体１２は、管状とされ、管内を洗浄水が通過可能とされている。洗浄管本体１２の一端には、洗浄ホース（不図示）に接続するための接続部（不図示）が形成されている。
【００１７】
洗浄管本体１２の他端には、ノズル部１４が設けられている。ノズル部１４は、洗浄管本体１２よりも大径の筒状とされ、筒内が洗浄管本体１２の管内と連通され、先端部が閉止されると共に側面に複数のノズル穴１４Ａが構成されている。ノズル穴１４Ａは、このノズル穴１４Ａから洗浄水が洗浄管本体１２側、すなわち、洗浄用具１０の手前側に向かって噴射される、いわゆる逆噴射型のノズルとされている。
【００１８】
コイルスプリング２０は、図２に示されるように、線材を巻きまわして形成されている。コイルスプリング２０を形成する線材は、図２に示すように、断面円形でもよいし、図３に示すように、断面が角形状とされていてもよい。コイルスプリング２０の軸方向Ｓの中間部２２は、軸方向Ｓの両端部２４よりも大径とされ、いわゆる樽型巻きばねの形状とされている。コイルスプリング２０の中間部２２は、両端部２４よりも巻き密度が高くなっている。本実施形態では、中間部２２は、隣り合うコイルが互いに接触するように構成されている。また、コイルスプリング２０の中間部２２から両端部２４にかけて、徐々に径が小さくなると共に、隣り合うコイル同士が間隔をあけて巻き回されている。このように、隣り合うコイル同士が間隔をあけて巻き回されていることにより、コイル間に通水部２６が構成されている。また、コイルスプリング２０の中間部２２は、ノズル部１４の外径よりも大径とされると共に、洗浄対象となるホース３０の内径よりもわずかに大径とされている。
【００１９】
洗浄管本体１２には、ノズル部１４から離間した位置に、凸条部１２Ｂが形成されている。凸条部１２Ｂは、洗浄管本体１２の外周から突出されており、コイルスプリング２０の両端部２４よりも大径とされている。凸条部１２Ｂは、洗浄管本体１２の外周の全周に亘るものでもよいし、一部に形成されているものでもよい。コイルスプリング２０は、洗浄管本体１２の外周のノズル部１４から凸条部１２Ｂの間（以下この間を「外周取付部１２Ｃ」という）に外挿されて取り付けられている。コイルスプリング２０は、外周取付部１２Ｃよりも軸方向Ｓの外側への移動が規制されている。
【００２０】
次に、本実施形態の作用について説明する。
【００２１】
洗浄用具１０でホース３０の洗浄を行う際には、図１に示されるように、洗浄用具１０をノズル部１４の先端からホース３０へ挿入し、洗浄水を洗浄管本体１２、ノズル部１４を経て、ノズル穴１４Ａから噴射する。ノズル穴１４Ａから噴射された洗浄水により、ホース３０の管内が洗浄される。このとき、洗浄水は、ホース３０の挿入口側に向かって噴射されるので、作業者は、洗浄用具１０をホース３０の奥側へ容易に挿入することができる。
【００２２】
また、ホース３０内に挿入されたコイルスプリング２０には、通水部２６が構成されていることから、噴射された洗浄水は、通水部２６を通ってホース３０の奥側へ流れこむことができる。
【００２３】
また、ホース３０の端部にバリＢがある場合には、洗浄用具１０をホース３０に挿入する際に、コイルスプリング２０の径の小さいコイルから順にバリＢに当たり、バリＢが除々に奥側へ押し込まれ、ホース３０の内壁に沿って寝るように折り曲げられる。そして、図４に示されるように、作業者が、さらに、洗浄用具１０を押し込むと、コイルスプリング２０の大径部２２がバリＢの根元を押圧しつつ弾性変形する。そして、作業者がさらに洗浄用具１０を押し込むことにより、バリＢが除去される。
【００２４】
また、コイルスプリング２０の大径部２２がバリＢを除去せずにホース３０の奥側へ通過した場合でも、洗浄用具１０を抜き出し方向へ引っ張る際に、図５に示されるように、再度、コイルスプリング２０の大径部２２がバリＢの根元に挿入時とは逆向きの力を加え、バリＢが除去される。
【００２５】
本実施形態の洗浄用具１０によれば、ノズル部１４から噴射された洗浄水を、コイルスプリング２０の通水部２６を介してホース３０の軸方向Ｓに通水させることができるので、洗浄水の流れがバリ除去用のコイルスプリング２０によって阻止されることがなく、容易に洗浄を行うことができる。また、コイルスプリング２０によって、簡単に洗浄と同時にホース３０のバリＢを除去することができる。
【００２６】
なお、本実施形態では、ノズル穴１４Ａから噴出される洗浄水の向きが洗浄用具１０の挿入方向の後方である、いわゆる逆噴射式のノズルを用いたが、挿入方向の前方へ向かって洗浄水を噴射するノズルを用いてもよい。
【００２７】
また、本実施形態では、コイルスプリング２０を洗浄管本体１２へ取り付けるために、洗浄管本体１２の外周に凸条部１２Ｂを形成したが、他の方法により、コイルスプリング２０を洗浄管本体１２の外周に取り付けてもよい。例えば、図６に示すように、洗浄管本体１２の外周に雄ネジ１２Ｄを形成し、ナット１２Ｅを雄ネジ１２Ｄに螺合させてもよい。このように構成することにより、ナット１２Ｅの取り外しが自由となるので、コイルスプリング２０が損傷した場合や、洗浄の対象となるホースの内径に応じたコイルスプリングを装着したりする場合に、容易に取り替えることができる。
【符号の説明】
【００２８】
１０   洗浄用具
１２   洗浄管本体
１２Ｂ 凸条部
１４   ノズル部
２０   コイルスプリング
２２   大径部
２２   中間部
２４   両端部
２６   通水部
３０   ホース
【図１】
2012040491.tif 000003
【図２】
2012040491.tif 000004
【図３】
2012040491.tif 000005
【図４】
2012040491.tif 000006
【図５】
2012040491.tif 000007
【図６】
2012040491.tif 000008